(57)【特許請求の範囲】
【請求項１】
商品の購入を希望する購入者と前記商品を提供する提供者との予約購入取引を、ネットワークを通じて仲介するコンピュータに、
複数の前記提供者ごとに設定された前記商品の割引設定情報を記憶する記憶手順と、
前記商品のうち前記割引設定情報に基づいて抽出した割引対象商品の価格である割引対象価格と、検索条件が前記割引対象商品と同一の前記商品の価格である一般価格とを比較し、この一般価格よりも安い価格である割引変更価格に前記割引対象価格を変更する割引算出手順と、
を実行させるものであり、
複数の前記提供者ごとに設定された前記割引設定情報に基づいて抽出した前記割引設定情報ごとの前記割引対象価格と前記一般価格とを比較し、複数の前記割引対象価格のうち前記割引変更価格が最安値となる前記割引対象価格を前記割引変更価格に変更する、
ことを特徴とする商品取引仲介プログラム。
【請求項２】
商品の購入を希望する購入者と前記商品を提供する提供者との予約購入取引を、ネットワークを通じて仲介するコンピュータに、
複数の前記提供者ごとに設定された前記商品の割引設定情報を記憶する記憶手順と、
前記商品のうち前記割引設定情報に基づいて抽出した割引対象商品の価格である割引対象価格と、検索条件が前記割引対象商品と同一の前記商品の価格である一般価格とを比較し、この一般価格よりも安い価格である割引変更価格に前記割引対象価格を変更する割引算出手順と、
を実行させるものであり、
前記割引設定情報に仲介手数料情報が含まれ、
複数の前記提供者ごとに設定された前記割引設定情報に基づいて抽出した複数の前記割引対象価格のうち、前記仲介手数料の値が最高値である前記割引設定情報に基づいて抽出した前記割引対象価格を、前記割引変更価格に変更する、
ことを特徴とする商品取引仲介プログラム。
【請求項３】
前記割引設定情報に追随差額情報が含まれ、
前記一般価格のうち最安値である一般最安値価格との差額が、前記追随差額情報の値以下である前記割引対象価格を前記割引変更価格に変更する、
ことを特徴とする請求項１または請求項２に記載された商品取引仲介プログラム。
【請求項４】
前記割引設定情報に割引価格情報が含まれ、
前記一般最安値価格から前記割引価格情報の値を差し引いて前記割引変更価格を算出する、
ことを特徴とする請求項３に記載された商品取引仲介プログラム。
【請求項５】
前記割引対象価格と前記割引変更価格との差額を、前記割引対象商品の前記提供者の端末に出力する情報出力手順を含む、
ことを特徴とする請求項１から請求項４のいずれか１項に記載された商品取引仲介プログラム。
【請求項６】
商品の購入を希望する購入者と前記商品を提供する提供者との予約購入取引が、ネットワークを通じて仲介される商品取引仲介装置において、
複数の前記提供者ごとに設定された前記商品の割引設定情報が記憶された記憶部と、
前記商品のうち前記割引設定情報に基づいて抽出された割引対象商品の価格である割引対象価格と、検索条件が前記割引対象商品と同一の前記商品の価格である一般価格とが比較され、この一般価格よりも安い価格である割引変更価格に前記割引対象価格が変更される割引算出部と、
が備えられ、
複数の前記提供者ごとに設定された前記割引設定情報に基づいて抽出した前記割引設定情報ごとの前記割引対象価格と前記一般価格が比較され、複数の前記割引対象価格のうち前記割引変更価格が最安値となる前記割引対象価格が前記割引変更価格に変更される、
ことを特徴とする商品取引仲介装置。
【請求項７】
商品の購入を希望する購入者、前記商品を提供する提供者、前記購入者と前記提供者との予約購入取引が仲介される商品取引仲介装置、がネットワークを通じて接続された商品取引仲介システムにおいて、
前記商品取引仲介装置に対して読み書き可能な記憶部に、複数の前記提供者ごとに設定された割引設定情報が記憶され、
前記商品のうち前記割引設定情報に基づいて抽出された割引対象商品の価格である割引対象価格と、検索条件が前記割引対象商品と同一の前記商品の価格である一般価格とが比較され、この一般価格よりも安い価格である割引変更価格に前記割引対象価格が変更される割引算出部が、前記商品取引仲介装置に備えられ、
複数の前記提供者ごとに設定された前記割引設定情報に基づいて抽出された前記割引設定情報ごとの前記割引対象価格と前記一般価格とが比較され、複数の前記割引対象価格のうち前記割引変更価格が最安値となる前記割引対象価格が前記割引変更価格に変更される、
ことを特徴とする商品取引仲介システム。
【請求項８】
商品の購入を希望する購入者と前記商品を提供する提供者との予約購入取引を、ネットワークを通じて仲介する商品取引仲介装置の動作方法であって、
前記商品取引仲介装置が、
複数の前記提供者ごとに設定した前記商品の割引設定情報を記憶する記憶手順と、
前記商品のうち前記割引設定情報に基づいて抽出した割引対象商品の価格である割引対象価格と、検索条件が前記割引対象商品と同一の前記商品の価格である一般価格とを比較し、この一般価格よりも安い価格である割引変更価格に前記割引対象価格を変更する割引算出手順と、
を実行するものであり、
複数の前記提供者ごとに設定した前記割引設定情報に基づいて抽出した前記割引設定情報ごとの前記割引対象価格と前記一般価格とを比較し、複数の前記割引対象価格のうち前記割引変更価格が最安値となる前記割引対象価格を前記割引変更価格に変更する、
ことを特徴とする商品取引仲介装置の動作方法。
【請求項９】
請求項１から請求項５のいずれか１項に記載された商品取引仲介プログラムが記憶された、
ことを特徴とするコンピュータで読み取り可能な記憶媒体。
【発明の詳細な説明】
【技術分野】
【０００１】
本発明は、商品の購入を希望する購入者と、商品を提供する提供者との予約購入取引を、ネットワークを通じて仲介する商品取引仲介プログラム、商品取引仲介装置、商品取引仲介システム、商品取引仲介方法、および商品取引仲介プログラムが記憶された記憶媒体に関するものである。
【背景技術】
【０００２】
従来、宿泊施設の予約や商品の販売の取引（以下、「商品の予約購入取引」と記す）はネットワークを通じて行われている。一般的には、例えば旅行会社や宿泊施設提供会社などによって提供される旅行商品の情報が旅行ポータルサイトにおいて表示される。旅行ポータルサイトでは、購入者であるユーザーによって入力された所望の条件に該当する旅行商品が検索され、価格が安い順番に並べられている。
【０００３】
上記したネットワークを通じた商品の予約購入取引に用いられる商品取引仲介装置として、下記特許文献１に記載された宿泊施設予約仲介方法がある。この宿泊施設予約仲介方法によれば、宿泊予約データベースサーバは、端末を通じて旅行商品の価格などの情報が旅行会社等により入力され、その中から最も安価な利用料金のみが選出されて表示される。
【先行技術文献】
【特許文献】
【０００４】
【特許文献１】特開２００５−２８４９１９号公報
【発明の概要】
【発明が解決しようとする課題】
【０００５】
しかし、上記した宿泊施設予約仲介方法によれば、旅行商品の価格が旅行会社の間で同額となって競合する場合がある。また、競合した場合、旅行会社等は他社の動向を常に監視していなければ最安値の旅行商品を提供することができず、情報をその都度最安値に更新する必要があるため、煩雑な作業を要していた。
【０００６】
本発明は上記の実情に鑑みて提案されたものである。すなわち、旅行会社等が常に最安値の商品を提供することができる商品取引仲介プログラム、商品取引仲介装置、商品取引仲介システム、商品取引仲介方法、および商品取引仲介プログラムが記憶された記憶媒体の提供を目的とする。
【課題を解決するための手段】
【０００７】
上記目的を達成するために、本発明に係る商品取引仲介プログラムは、商品の購入を希望する購入者と前記商品を提供する提供者との予約購入取引を、ネットワークを通じて仲介する商品取引仲介プログラムにおいて、前記商品の割引設定情報を記憶する記憶手順と、複数の前記提供者が提供する前記商品のうち前記割引設定情報に基づいて抽出した割引対象商品の価格である割引対象価格と、検索条件が前記割引対象商品と同一の前記商品の価格である一般価格とを比較し、この一般価格よりも安い価格である割引変更価格に前記割引対象価格を変更する割引算出手順と、をコンピュータに実行させる、ことを特徴とする。
【０００８】
本発明に係る商品取引仲介プログラムは、複数の前記割引設定情報に基づいて抽出した複数の前記割引対象価格と前記一般価格とを比較し、複数の前記割引対象価格のうち前記割引変更価格が最安値となる前記割引対象価格を、前記割引変更価格に変更する、ことを特徴とする。
【０００９】
本発明に係る商品取引仲介プログラムは、前記割引設定情報に仲介手数料情報が含まれ、複数の前記割引設定情報に基づいて抽出した複数の前記割引対象価格のうち、前記仲介手数料の値が最高値である割引設定情報に基づいて抽出した前記割引対象価格を、前記割引変更価格に変更する、ことを特徴とする。
【００１０】
本発明に係る商品取引仲介プログラムは、前記割引設定情報に追随差額情報が含まれ、前記一般価格のうち最安値である一般最安値価格との差額が、前記追随差額情報の値以下である前記割引対象価格を前記割引変更価格に変更する、ことを特徴とする。
【００１１】
本発明に係る商品取引仲介プログラムは、前記割引設定情報に割引価格情報が含まれ、前記一般最安値価格から前記割引価格情報の値を差し引いて前記割引変更価格を算出する、ことを特徴とする。
【００１２】
本発明に係る商品取引仲介プログラムは、前記割引対象価格と前記割引変更価格との差額を、前記割引対象商品の前記提供者の端末に出力する情報出力手順を含む、ことを特徴とする。
【００１３】
本発明に係る商品取引仲介装置は、商品の購入を希望する購入者と前記商品を提供する提供者との予約購入取引が、ネットワークを通じて仲介される商品取引仲介装置において、前記商品の割引設定情報が記憶された記憶部と、前記商品のうち前記割引設定情報に基づいて抽出された割引対象商品の価格である割引対象価格と、検索条件が前記割引対象商品と同一の前記商品の価格である一般価格とが比較され、この一般価格よりも安い価格である割引変更価格に前記割引対象価格が変更される割引算出部と、が備えられた、ことを特徴とする。
【００１４】
本発明に係る商品取引仲介システムは、商品の購入を希望する購入者、前記商品を提供する提供者、前記購入者と前記提供者との予約購入取引が仲介される商品取引仲介装置、がネットワークを通じて接続された商品取引仲介システムにおいて、前記商品取引仲介装置に対して読み書き可能な記憶部に割引設定情報が記憶され、前記商品のうち前記割引設定情報に基づいて抽出された割引対象商品の価格である割引対象価格と、検索条件が前記割引対象商品と同一の前記商品の価格である一般価格とが比較され、この一般価格よりも安い価格である割引変更価格に前記割引対象価格が変更される割引算出部が、前記商品仲介取引装置に備えられた、ことを特徴とする。
【００１５】
本発明に係る商品取引仲介方法は、商品の購入を希望する購入者と前記商品を提供する提供者との予約購入取引を、ネットワークを通じて仲介する商品取引仲介方法において、前記商品の割引設定情報を記憶する記憶手順と、前記商品のうち前記割引設定情報に基づいて抽出した割引対象商品の価格である割引対象価格と、検索条件が前記割引対象商品と同一の前記商品の価格である一般価格とを比較し、この一般価格よりも安い価格である割引変更価格に前記割引対象価格を変更する割引算出手順と、を含む、ことを特徴とする。
【００１６】
本発明に係るコンピュータで読み取り可能な記憶媒体は、商品取引仲介プログラムが記憶された、ことを特徴とする。
【発明の効果】
【００１７】
本発明に係る商品取引仲介プログラム、商品取引仲介装置、商品取引仲介システム、商品取引仲介方法、および商品取引仲介プログラムが記憶された記憶媒体は上記した構成である。すなわち、同一の検索条件に該当する商品が複数の提供者ごとに異なる価格で提供されていた場合、予め割引設定情報の対象となる商品（割引対象商品）は、その価格（割引対象価格）が他の商品の価格（一般価格）よりも安い価格（割引変更価格）に変更される。したがって、割引設定情報の対象となる商品を提供する提供者は、常に最安値の商品を購入者に提供することができ、商品の販売可能性を高めることができる。また、他社の動向に対する監視負担を軽減することができ、作業を簡便にすることができる。一方、購入者は市場における最安値で商品の予約購入取引をすることができる。
【００１８】
本発明に係る商品取引仲介プログラムは、複数の割引設定情報に基づいて抽出した複数の割引対象価格と一般価格とを比較し、複数の割引対象価格のうち割引変更価格が最安値となる割引対象価格を、割引変更価格に変更するものである。すなわち、複数の提供者によって複数の割引設定情報が商品に設定された場合、その商品（割引対象商品）の複数の価格（割引対象価格）のうち、割引変更価格が最安値となる方の割引対象価格が、割引変更価格に変更される。したがって、割引対象価格が競合した場合であっても、一方の提供者は常に最安値の商品を購入者に提供することができる。
【００１９】
本発明に係る商品取引仲介プログラムは、割引設定情報に仲介手数料情報が含まれ、複数の割引設定情報に基づいて抽出した複数の割引対象価格のうち、仲介手数料の値が最高値である割引設定情報に基づいて抽出した割引対象価格を、割引変更価格に変更するものである。すなわち、複数の割引設定情報が商品に設定された場合、その割引設定情報のうち、仲介手数料が最高値である方の割引設定情報に基づいて抽出した割引対象価格が、割引変更価格に変更される。したがって、割引対象価格が競合した場合であっても、一方の提供者は常に最安値の商品を購入者に提供することができる。
【００２０】
本発明に係る商品取引仲介プログラムは、割引設定情報に追随差額情報が含まれ、一般価格のうち最安値である一般最安値価格との差額が、追随差額情報の値以下である割引対象価格を割引変更価格に変更するものである。すなわち、提供者によって任意に設定された追随差額情報に基づいて、商品の価格（割引対象価格）からの割引度合が一般最安値価格を基準に決定される。したがって、提供者は許容できる範囲で商品の価格（割引対象価格）からの割引度合を、追随差額情報によって任意に決定することができる。
【００２１】
本発明に係る商品取引仲介プログラムは、割引設定情報に割引価格情報が含まれ、一般最安値価格から割引価格情報の値を差し引いて割引変更価格を算出するものである。すなわち、提供者によって任意に設定された割引価格情報に基づいて、一般最安値価格からの割引度合が決定される。したがって、提供者は許容できる範囲で一般最安値価格からの割引度合割を、割引価格情報によって任意に決定することができる。
【００２２】
本発明に係る商品取引仲介プログラムは、割引対象価格と割引変更価格との差額を、割引対象商品の提供者の端末に出力する情報出力手順を含むものである。すなわち、商品の価格（割引対象価格）と割引変更価格との差額から、商品の価格（割引対象価格）からの割引額が算出されて提供者の端末に出力される。したがって、提供者は割引額に基づいて様々なサービスを購入者に提供することができる。
【図面の簡単な説明】
【００２３】
【図１】本発明の実施形態に係る商品取引仲介装置を用いた商品取引仲介システムの概略図である。
【図２】本発明の実施形態に係る商品取引仲介プログラムによる処理の流れが示されたフロー図である。
【図３】本発明の実施形態に係る商品取引仲介プログラムの割引算出手順による処理の流れを示したフロー図である。
【図４】本発明の実施形態に係る商品取引仲介プログラムの情報出力手順による処理の流れを示したフロー図である。
【図５】本発明の実施形態に係る商品取引仲介プログラムに記憶される割引設定情報を説明する説明図である。
【図６】本発明の実施形態に係る商品取引仲介プログラムの割引算出手順による処理を説明する説明図である。
【図７】本発明の実施形態に係る商品取引仲介プログラムの割引算出手順による処理を説明し、複数の割引設定情報が設定された場合を説明する説明図である。
【発明を実施するための形態】
【００２４】
以下に、本発明の実施形態を図１から図５に基づいて説明する。図１は、本実施形態に係る商品取引仲介装置１０（又は商品取引仲介プログラム）を用いた商品取引仲介システムの概略が示されている。図２は、商品取引仲介装置１０（又は商品取引仲介プログラム）を用いた処理の流れが示されている。図３は割引算出部を用いた割引算出手順による処理の流れが示されている。図４は情報出力部を用いた情報出力手順による処理の流れが示されている。図５は割引設定情報が入力される自動割引管理画面の概略が示されている。なお、以下の説明における取引の対象は旅行商品であるが、商品は、例えば映画などのチケット、家電などの物品、カルチャースクールなどのサービスなどであってもよい。
【００２５】
図１に示されているとおり、商品取引仲介装置１０はサーバーシステムであり、通信ネットワーク１を介して、提供者の端末としての連携サイト端末２、および購入者の端末としてのユーザー端末３と接続されている。
【００２６】
通信ネットワーク１は、例えばインターネット、専用線により接続されたネットワーク、企業内ＬＡＮ、企業間ＬＡＮ、ＷＡＮなどである。通信回線の形態は、例えば有線通信、無線通信、衛星通信などである。
【００２７】
連携サイトは、例えば、旅行会社、ホテル・旅館などの宿泊施設、宿泊施設予約仲介業者などであり、宿泊施設予約仲介業者にはツアーオペレーター、ランドオペレーター、ホールセラーなどが含まれる。一方、ユーザーは連携サイトで提供される旅行商品の予約、購入を希望する者である。連携サイト端末２およびユーザー端末３は、例えばパーソナルコンピュータ、ワークステーション、タブレット端末、スマートフォン、通信ネットワーク１に接続可能なテレビ端末、ゲーム端末などである。
【００２８】
商品取引仲介装置１０は、プラン情報入力システム１１、自動割引管理システム１２、データベース１３および検索システム１４が備えられている。検索システム１４は割引算出部および情報出力部が備えられている。各システム１１，１２，１４では、図２に示されているとおり、ステップＳ１からＳ５を通じて商品取引仲介方法が実現される。なお、これらの各システム１１，１２，１４に関し、ひとつの装置に実装されて構成されるか、ネットワークで接続された複数の装置から構成されるかは任意である。
【００２９】
図１および図２に示されているとおり、ステップＳ１において、プラン情報入力システム１１では、連携サイト端末２から入力されたプラン情報が入力され、記憶部に記憶されたデータベース１３に登録される。
【００３０】
プラン情報は旅行商品の内容であり、例えば宿泊施設名、宿泊価格、宿泊期間、宿泊人数、食事条件、部屋のタイプ、在庫（空室）などである。すなわち、旅行商品はプラン情報が特定されたものであり、宿泊施設ごとに複数存在する。入力の方法は、ファイルによる入力、またはＡＰＩ（Ａｐｐｌｉｃａｔｉｏｎ  Ｐｒｏｇｒａｍｍｉｎｇ  Ｉｎｔｅｒｆａｃｅ）による入力のいずれであってもよい。プラン情報の更新は、ファイルによる入力であれば１日に１回（在庫の更新は１日に１回から３回）であり、ＡＰＩによる入力であれば１日に１回（在庫の更新は１日に数回）である。
【００３１】
ステップＳ２において、自動割引管理システム１２では、自動割引管理画面（図５参照）を介して商品取引仲介装置１０または連携サイト端末２から割引設定情報が入力され、データベース１３に登録される。割引設定情報は旅行商品の価格が割り引かれる際の条件などであり、条件に該当する旅行商品が割引対象商品となる。図５に示されたとおり、割引設定情報は、割引名称情報、適応期間情報、累積限度額情報、累積額情報、割引前最低価格情報、追随差額情報、割引価格情報、割引後最低価格情報、割引方法情報、手数料情報、対象施設情報が含まれる。
【００３２】
割引名称情報は、例えば「販促キャンペーン」などの任意の名称が入力される。
【００３３】
適応期間情報は、割引の対象となる期間が入力される。
【００３４】
割引前最低価格情報は、割引対象商品の価格（以下、「割引対象価格」）の最安値が入力される。例えば、割引前最低価格が“６０００円”であれば、６０００円以上の旅行商品が割引対象商品となり、６０００円未満の旅行商品は割引の対象とならない。
【００３５】
追随差額情報は、割引対象価格と、検索条件が割引対象商品と同一である他社の旅行商品の価格（以下、「一般価格」）のうち最安値の価格（以下、「一般最安値価格」）との差額として許容される金額が入力される。例えば、追随差額が“１０００円”であれば、一般最安値価格との差額が１０００円以内である割引対象商品が割引の対象となり、１０００円より高い割引対象商品は割引の対象とならない。
【００３６】
割引価格情報は、一般最安値価格から差し引かれる金額が入力される。一般最安値価格から割引価格が差し引かれた価格は割引変更価格である。割引変更価格は、割引対象価格が割り引かれて変更された後の価格である。
【００３７】
割引後最低価格情報は、割引変更価格の最安値が入力される。例えば、割引後最低価格が“４５００円”であれば、割引変更価格が４５００円以上となる割引対象商品が割引の対象となり、割引変更価格が４５００円より安くなる割引対象商品は割引の対象とならない。
【００３８】
累積額情報は、累積された割引額の合計である。割引額は、割引対象価格と割引変更価格との差額である。
【００３９】
累積限度額情報は、累積された割引額の合計の上限額として許容される金額が入力される。
【００４０】
割引方法情報は、決済時に割引対象価格から割引額を割り引く方法を特定するものであり、例えば、予約時割引、クーポン割引などが選択される。予約時割引は、例えば予約時に割引変更価格で決済する方法や、割引対象価格のまま連携サイトに引き継がれ、事前に発行された割引クーポンコードを予約時に入力することで、割引変更価格で決済する方法などである。割引クーポンコードは、ユーザー端末３で割引対象商品が選択（クリック）された際に遷移する割引クーポン取得ページで発行される。一方、クーポン割引は、割引クーポンが割引額に応じてポイントとして付与される方法である。ユーザーは割引対象価格で決済した後、獲得したポイントに応じて割引などのサービスを受ける。
【００４１】
手数料情報は、仲介手数料の割合が入力される。
【００４２】
対象施設情報は、割引対象となる宿泊施設名が入力される。
【００４３】
ステップＳ３において、検索システム１４では、ユーザーによって入力された検索条件に基づいてデータベース１３が検索され、検索条件に該当するプラン情報の旅行商品が抽出される。その際、割引算出部は、割引設定情報に基づいて割引対象商品を抽出すると共に割引変更価格を算出し、割引対象価格を割引変更価格に変更する。なお、割引額の累積額が累積限度額に達した場合、または適応期間の範囲外である場合は、割引が行われない。
【００４４】
詳説すれば、検索システム１４では、図３に示されたとおり、ユーザー端末３から入力された検索条件に基づいてデータベース１３が検索され、複数の連携サイトが提供する旅行商品のうち、検索条件に該当する同一条件のプラン情報の旅行商品が抽出される（ステップＳ３−１）。抽出された旅行商品が割引設定情報に該当する割引対象商品であるか否かが判定され（ステップＳ３−２）、該当すればステップＳ３−３が処理され、一方、該当しなければそのまま出力されてＷＥＢに表示される（ステップＳ３−７）。ステップＳ３−３では、複数の連携サイトによって複数の割引設定情報が旅行商品に設定されているか否かが判定され、該当すればステップＳ３−４が処理され、一方、該当しなければステップＳ３−５が処理される。
【００４５】
ステップＳ３−５について詳説すれば、検索システム１４の割引算出部では、割引設定情報に基づいて割引対象商品が抽出され、割引設定情報が反映された割引変更価格に割引対象価格が変更される。すなわち、参照された割引設定情報（図５参照）のうち、対象施設に含まれ、かつ、割引前最低価格以上である旅行商品が、割引対象商品として抽出される。割引対象価格と一般最安値価格との差額が追随差額以下であれば、一般最安値価格から割引価格が差し引かれて割引変更価格が算出され、さらに割引変更価格が割引後最低価格以上であれば、割引対象価格は割引変更価格に変更される。なお、割引前最低価格、割引後最低価格は、いずれか一方または両方を任意に設定することができる。
【００４６】
割引変更価格は上位に並べ替えられて出力され（ステップＳ３−６）、ＷＥＢに表示される（ステップＳ３−７）。
【００４７】
ステップＳ３−４では、次の変更価格最安値処理、または手数料最高値処理のいずれかの処理が実行される。すなわち、変更価格最安値処理によれば、複数の割引設定情報に基づいて抽出された複数の割引対象価格と一般最安値価格とが比較され、割引変更価格が最安値となる割引対象価格が割引変更価格に変更される。つまり、割引変更価格が最安値となる割引対象商品を提供した連携サイトが優位となる。一方、手数料最高値処理によれば、複数の割引設定情報に基づいて抽出された複数の割引対象価格のうち、手数料が最高値である割引設定情報に基づいて抽出された割引対象価格が、割引変更価格に変更される。つまり、手数料が最高値となる割引対象商品を提供した連携サイトが優位となる。いずれかの処理の後ステップＳ３−５以下が処理される。なお、ステップＳ３−４における処理の条件は、変更価格最安値処理、および手数料最高値処理に限られず、任意である。
【００４８】
ステップＳ４において、検索システム１４では、図４に示されたとおり、選択された割引対象商品の連携サイトの予約サイトにアクセスされる際、割引情報が暗号化され、情報出力部によって予約サイトに送信される（ステップＳ４−１）。割引情報には、割引設定情報、割引変更価格、一般最安値価格、および割引額が含まれる。予約サイトでは、旅行商品が予約される際（ステップＳ４−２）、割引情報が復号化され（ステップＳ４−３）決済される（ステップＳ４−４）。決済は、自動割引管理システム１２の自動割引管理画面（図５参照）を介して入力された割引方法に基づき、例えば、予約時割引、クーポン割引などにより行われる。
【００４９】
ステップＳ５において、図１に示されているとおり、コンバージョンの際、割引情報が送信され、自動割引管理システム１２で受信される。自動割引管理システム１２では割引額が加算され、累積額情報として蓄積される。累積額が累積限度額に達した場合は割引が行われない。なお、適応期間の範囲外である場合も同様に割引が行われない。
【００５０】
次に、具体例を示して検索システム１４における処理を図６に基づいて説明する。図６は、割引算出部による割引額算出手順の処理の説明が示されている。
【００５１】
図６において、ユーザーによる検索条件に基づいた検索の結果、Ａ社、Ｂ社、およびＣ社が提供する同一条件の旅行商品である○○ホテルが抽出され、各社の宿泊価格が、それぞれ２１０００円（Ａ社）、２１５００円（Ｂ社）、２３０００円（Ｃ社）であったとする。Ｂ社に割引設定情報が設定されていた場合、Ｂ社の旅行商品は、○○ホテルが、割引設定情報に基づいた対象施設に含まれ、宿泊価格である２１５００円が、割引設定情報に基づいた割引前最低価格である６０００円以上であるため、割引対象商品として抽出される。なお、検索の結果、Ｂ社が提供する同一条件の旅行商品が仮に２以上抽出された場合、例えば、宿泊価格が最安値の旅行商品を割引対象商品として抽出する。その際の抽出の条件は、“宿泊価格が最安値であること”に限られず、任意である。
【００５２】
割引変更価格であるＢ社の２１５００円以外の一般価格は、Ａ社の２１０００円、およびＣ社の２３０００円であり、このうち一般最安値価格が２１０００円である。割引変更価格であるＢ社の２１５００円と、一般最安値価格である２１０００円との差額が５００円であり、この差額である５００円が、割引設定情報に基づいた追随差額である１０００円以下であるため、割引設定情報に基づいた割引価格である５００円が、一般最安値価格である２１０００円から差し引かれ、割引変更価格である２０５００円が算出される。この割引変更価格である２０５００円が、割引後最低価格である４５００円以上であるため、
Ｂ社の割引対象商品の割引対象価格である２１５００円が、割引変更価格である２０５００円に変更され、Ｂ社の割引変更価格が上位に並べ替えられて出力され、ＷＥＢに表示される。
【００５３】
次に、具体例を示して複数の割引設定情報が旅行商品に設定されている場合の検索システム１４における処理を図７に基づいて説明する。図７は、複数の割引設定情報が設定されている場合の割引算出部による割引算出手順の処理の説明が示されている。この場合、いわゆるオークション形式により、変更価格最安値処理、または手数料最高値処理のいずれかが処理される。
【００５４】
上記したＢ社の他に、図７においてＣ社に割引設定情報が設定されていたとする。Ｃ社の旅行商品は、○○ホテルが、割引設定情報に基づいた対象施設に含まれ、宿泊価格である２３０００円が割引設定情報に基づいた割引前最低価格である８０００円以上であるため、割引対象商品として抽出される。
【００５５】
ここで、変更価格最安値処理によれば、割引変更価格であるＣ社の２３０００円以外の一般価格は、Ａ社の２１０００円、およびＢ社の２１５００円であり、このうち一般最安値価格が２１０００円である。割引変更価格であるＣ社の２３０００円と一般最安値価格である２１０００円との差額が２０００円であり、この差額である２０００円が、割引設定情報に基づいた追随差額である５０００円以下であるため、割引設定情報に基づいた割引価格である６００円が、一般最安値価格である２１０００円から差し引かれ、割引変更価格である２０４００円が算出される。この割引変更価格である２０４００円が、割引後最低価格である５０００円以上であるため、Ｃ社の割引対象商品の割引対象価格である２３０００円が、割引変更価格である２０４００円に一時的に変更される。
【００５６】
Ｂ社の割引変更価格である２０５００円とＣ社の割引変更価格である２０４００円とが比較され、Ｃ社の割引変更価格が最安値であるため、Ｃ社の割引対象商品の割引対象価格である２３０００円が、割引変更価格である２０４００円に変更される。Ｃ社の割引変更価格のみが上位に並べ替えられて出力されてＷＥＢに表示される。なお、Ｂ社の割引対象価格は変更されず２１５００円となるが、Ｂ社の割引対象価格である２１５００円が、割引変更価格である２０５００円に変更され、Ｃ社の下位に並び替えられる構成であってもよい。
【００５７】
一方、手数料最高値処理によれば、Ｂ社の手数料である５％と、Ｃ社の手数料である３％とが比較され、Ｂ社の手数料が最高値であるため、Ｂ社の割引対象商品の割引対象価格である２１５００円が、割引変更価格である２０５００円に変更される。Ｂ社の割引変更価格のみが上位に並べ替えられて出力されてＷＥＢに表示される。なお、Ｃ社の割引対象価格は変更されず２３０００円となる。
【００５８】
次に、商品取引仲介装置１０の一般的な構成について説明する。
【００５９】
商品取引仲介装置１０は商品取引仲介方法を実現し、少なくとも、記憶部、入力部、出力部、制御部など（いずれも図示省略）が備えられている。記憶部は、ＲＯＭ、ＲＡＭ、ＨＤＤなどから構成される。入力部は、キーボードやマウス、タッチパネルなどから構成され、また、出力部は、液晶ディスプレイなどから構成される。制御部はＣＰＵなどにより実現され、入力部からの入力情報を検出すると共に、ＲＯＭに格納されたプログラムに従って、ＣＰＵに実行させるＯＳ（Ｏｐｅｒａｔｉｎｇ  Ｓｙｓｔｅｍ）のプログラムやアプリケーションプログラムの一部が格納されたＲＡＭを使用して商品取引仲介装置１０を制御し、入力情報の処理結果を出力部に出力する。
【００６０】
なお、商品取引仲介装置１０は、ハードウェア構成、ＤＳＰ（Ｄｉｇｉｔａｌ  Ｓｉｇｎａｌ  Ｐｒｏｃｅｓｓｏｒ）、ＭＰＵ（Ｍｉｃｒｏ  Ｐｒｏｃｅｓｓｉｎｇ  Ｕｎｉｔ）、ソフトウェアによって実現することが可能である。例えば、ソフトウェアによって実現する場合、実際にはコンピュータのＣＰＵ、あるいはＭＰＵ、ＲＯＭ、ＲＡＭなどを備えて構成し、ＲＯＭやＲＡＭに記憶されたプログラムが動作することによって実現できる。
【００６１】
したがって、コンピュータが上記各装置の機能を果たすように動作させる商品取引仲介プログラムを、例えばＣＤ−ＲＯＭなどの記憶媒体に記憶し、コンピュータに読み込ませることによって実現できる。商品取引仲介プログラムを記憶する記憶媒体としては、ＣＤ−ＲＯＭ以外に、例えばフレキシブルディスク、光ディスクなどを用いることができる。
【００６２】
商品取引仲介装置１０は、ＡＳＰ（Ａｐｐｌｉｃａｔｉｏｎ  Ｓｅｒｖｉｃｅ  Ｐｒｏｖｉｄｅｒ）として機能させてもよく、商品取引仲介プログラムをインターネットなどのネットワークを介してコンピュータにダウンロードすることによっても実現できる。さらに、これらのハードウェア、ソフトウェア資源を、ネットワークを介してアクセス可能なクラウドなどの態様で提供することもできる。
【００６３】
上記のとおり、商品取引仲介プログラム、商品取引仲介装置１０、商品取引仲介システム、商品取引仲介方法、および商品取引仲介プログラムが記憶された記憶媒体が構成されている。
【００６４】
次に、本実施形態の効果を説明する。
【００６５】
上記したとおり、本実施形態によれば、ユーザー端末３から入力された検索条件に基づいてデータベース１３が検索され、複数の連携サイトが提供する旅行商品のうち、検索条件に該当する同一条件のプラン情報の旅行商品が抽出される（図３：ステップＳ３−１）。検索システム１４の割引算出部では、参照された割引設定情報（図５参照）のうち、対象施設に含まれ、かつ、割引前最低価格以上である旅行商品が、割引対象商品として抽出される。割引対象価格と一般最安値価格との差額が追随差額以下であれば、一般最安値価格から割引価格が差し引かれて割引変更価格が算出され、さらに割引変更価格が割引後最低価格以上であれば、割引対象価格は割引変更価格に変更される。
【００６６】
すなわち、同一の検索条件に該当する商品が複数の提供者ごとに異なる価格で提供されていた場合、予め設定された割引設定情報の対象となる割引対象商品は、割引対象価格が他の一般価格よりも安い割引変更価格に変更される。したがって、割引設定情報の対象となる商品を提供する連携サイトは、常に最安値の商品をユーザーに提供することができ、商品の販売可能性を高めることができる。また、他社の動向に対する監視負担を軽減することができ、作業を簡便にすることができる。一方、ユーザーは市場における最安値で商品の予約購入取引をすることができる。
【００６７】
本実施形態の変更価格最安値処理によれば、複数の割引設定情報に基づいて抽出された複数の割引対象価格と一般最安値価格とが比較され、割引変更価格が最安値となる割引対象価格が割引変更価格に変更される（図３：ステップＳ３−４、Ｓ３−５）。すなわち、複数の連携サイトによって複数の割引設定情報が商品に設定された場合、その割引対象商品の複数の割引対象価格のうち、割引変更価格が最安値となる方の割引対象価格が、割引変更価格に変更される。したがって、割引対象価格が競合した場合であっても、一方の連携サイトは常に最安値の商品をユーザーに提供することができる。
【００６８】
本実施形態の手数料最高値処理によれば、複数の割引設定情報に基づいて抽出された複数の割引対象価格のうち、手数料が最高値である割引設定情報に基づいて抽出された割引対象価格が、割引変更価格に変更される（図３：ステップＳ３−４、Ｓ３−５）。すなわち、複数の割引設定情報が商品に設定された場合、その割引設定情報のうち、仲介手数料が最高値である方の割引設定情報に基づいて抽出した割引対象価格が、割引変更価格に変更される。したがって、割引対象価格が競合した場合であっても、一方の連携サイトは常に最安値の商品をユーザーに提供することができる。
【００６９】
本実施形態によれば、割引対象価格と一般最安値価格との差額が追随差額以下であれば、一般最安値価格から割引価格が差し引かれて割引変更価格が算出され、割引対象価格は割引変更価格に変更される。すなわち、連携サイトによって任意に設定された追随差額情報に基づいて、割引対象価格からの割引度合が一般最安値価格を基準に決定される。したがって、連携サイトは許容できる範囲で割引対象価格からの割引度合を、追随差額情報によって任意に決定することができる。
【００７０】
また、連携サイトによって任意に設定された割引価格情報に基づいて、一般最安値価格からの割引度合が決定される。したがって、連携サイトは許容できる範囲で一般最安値価格からの割引度合割を、割引価格情報によって任意に決定することができる。
【００７１】
本実施形態によれば、割引情報が暗号化され、情報出力部によって予約サイトに送信される（図４：ステップＳ４−１）。割引情報には、割引設定情報、割引変更価格、一般最安値価格、および割引額が含まれる。予約サイトでは、旅行商品が予約される際（図４：ステップＳ４−２）、割引情報が復号化され（図４：ステップＳ４−３）決済される（図４：ステップＳ４−４）。すなわち、割引対象価格と割引変更価格との差額から、割引対象価格からの割引額が算出されて予約サイトに出力される。したがって、連携サイトは割引額に基づいて様々なサービスをユーザーに提供することができる。例えば、割引設定情報の割引方法に基づき（図５参照）、予約時割引、クーポン割引などのサービスが提供できる。
【００７２】
以上、本発明の実施形態を詳述したが、本発明は上記実施形態に限定されるものではない。そして本発明は、特許請求の範囲に記載された事項を逸脱することがなければ、種々の設計変更を行うことが可能である。商品取引仲介プログラム、商品取引仲介装置、商品取引仲介システム、商品取引仲介方法、および商品取引仲介プログラムが記憶された記憶媒体は上記した旅行商品の他、種々の商品の取引の仲介に利用される。
【符号の説明】
【００７３】
１                  通信ネットワーク
２                  連携サイト端末
３                  ユーザー端末
１０                商品取引仲介装置
１１                プラン情報入力システム
１２                自動割引管理システム
１３                データベース
１４                検索システム
【図１】
0005963148.tif 000002
【図２】
0005963148.tif 000003
【図３】
0005963148.tif 000004
【図４】
0005963148.tif 000005
【図５】
0005963148.tif 000006
【図６】
0005963148.tif 000007
【図７】
0005963148.tif 000008